(57)【要約】【課題】　データライン駆動回路構成を有する液晶表示装置（ＬＣＤ）を提供する。【解決手段】　ＬＣＤは、複数の画素を有するパネルを含む。各画素は、赤色のドット、緑色のドット、及び青色のドットを含む。各ドットは、データラインに接続される。映像信号ラインは、データラインに選択的に接続され、順次、映像信号を対応するドットに送信する。２つの隣接する画素において、同じ色に応答するドットは、２つのデータラインにそれぞれ接続され、これら２つのデータラインは、同じ映像信号ラインに接続される。【選択図】　　　　図４
2004145347.tif 000002
【特許請求の範囲】
【請求項１】
データライン駆動回路を有する液晶表示装置（ＬＣＤ）であって、
　第１データライン集合（ＤＮ−２、ＤＮ−１、ＤＮ）（Ｎは３より大きい）と、
　第２データライン集合（ＤＮ＋１、ＤＮ＋２、ＤＮ＋３）と、
　映像信号を送信するために、第１データライン集合（ＤＮ−２、ＤＮ−１、ＤＮ）及び第２データライン集合（ＤＮ＋１、ＤＮ＋２、ＤＮ＋３）にそれぞれ選択的に接続される映像信号ライン集合（ＬＮ−２、ＬＮ−１、ＬＮ）と、を含み、
　映像信号ラインＬＮ−２は、データラインＤＮ−２及びデータラインＤＮ＋１に選択的に接続され、映像信号ラインＬＮ−１は、データラインＤＮ−１及びデータラインＤＮ＋２に選択的に接続され、映像信号ラインＬＮは、データラインＤＮ及びデータラインＤＮ＋３に選択的に接続される、ＬＣＤ。
【請求項２】
請求項１に記載のＬＣＤであって、各データラインは、更に、ドットに送信される映像信号を制御するためのスイッチを含むＬＣＤ。
【請求項３】
請求項２に記載のＬＣＤであって、データライン駆動回路は、更に、スイッチを制御するためのシフトレジスタを含むＬＣＤ。
【発明の詳細な説明】
【技術分野】
【０００１】
　本出願は、２００２年１０月２５日に出願された台湾特許出願第０９１１２４９５７号、表題“データライン駆動回路構成を有するＬＣＤ”の優先権を主張するものである。
　本発明は、液晶表示装置（ＬＣＤ）に関し、特に、データライン駆動回路を有するＬＣＤに関する。
【背景技術】
【０００２】
　小型の電子デバイスが市場に導入されるのに伴い、液晶表示装置（ＬＣＤ）の利用は、ますます広まりつつある。
　図１は、ＬＣＤの従来の回路構成を示す。パネル２０上には、複数のデータラインＤ（Ｋ）と複数の走査ラインＳ（Ｋ）とが配置されている。パネル２０には、複数の画素が含まれ、各画素には、通常、赤色のドット、緑色のドット、及び青色のドットが含まれる。データラインＤ（Ｋ）と走査ラインＳ（Ｋ）は、それぞれ選択的にドットに接続され、映像信号を送信する。走査ラインＳ（Ｋ）は、駆動回路３０によって制御され、一方、データラインＤ（Ｋ）は、駆動回路１０によって制御される。
【０００３】
　図２は、駆動回路１０の従来の構成を示す。駆動回路１０には、シフトレジスタ１０２と、データ送信のタイミングを制御するための複数のスイッチ１０４と、が含まれる。映像信号ラインＬ１〜Ｌ６は、スイッチ１０４を介して、それぞれ選択的にデータラインＤ１〜Ｄ１２に接続される。パネルには、例えば、Ｐ１、Ｐ２、Ｐ３、及びＰ４等の画素が含まれる。各画素は、赤色のドット、緑色のドット、及び青色のドット色構成される。例えば、画素Ｐ１は、赤色のドットＲ１、緑色のドットＧ１、及び青色のドットＢ１色構成される。各ドットは、データラインに接続される。映像信号Ｖ１〜Ｖ６は、対応するデータラインを介して、順次ドットに送信され、シフトレジスタ１０２とスイッチ１０４によって制御される。
【発明の開示】
【発明が解決しようとする課題】
【０００４】
　図２において、Ｄ１及びＤ７は、Ｌ１に接続され、Ｄ２及びＤ８はＬ２に接続され、以下同様に接続されている。画素Ｐ２のドットＢ２は、映像信号ラインＬ６色映像信号を受信し、一方、隣接する画素Ｐ３のドットＢ３は、映像信号ラインＬ３色映像信号を受信することが分かる。しかしながら、映像信号ラインＬ３とＬ６との間には、容量及び抵抗の差異が存在する。このことによって、隣接する画素の色性能に影響が及び、色の不連続性が隣接する画素間で見られる。パネル上の映像信号ラインの数が多くなると、不連続な色性能の深刻さが増す。つまり、隣接する画素（Ｐ１、Ｐ２）、（Ｐ２、Ｐ３）、及び（Ｐ３、Ｐ４）の赤色のドットを例に取ると、この差異は、それぞれ、（Ｌ４−Ｌ１）、（Ｌ１−Ｌ４）、及び（Ｌ４−Ｌ１）である。
【０００５】
　上述した問題を解決するために、図３に示す駆動回路が考案された。データラインＤ６及びＤ７は、映像信号ラインＬ６に接続され、Ｄ５及びＤ８は、映像信号ラインＬ５に接続され、以下同様に接続されている。このようにして、隣接する画素Ｐ２及びＰ３の不連続な色性能は、低減される。
【０００６】
　しかしながら、図３に示すように、画素Ｐ２の赤色のドットＲ２は、映像信号ラインＬ４に接続され、一方、画素Ｐ３の赤色のドットＲ３は、映像信号ラインＬ６に接続される。映像信号ラインＬ４及びＬ６の容量と抵抗は、依然異なる。従って、赤色のドットＲ２とＲ３との間の不連続な色性能は、依然として存在する。Ｐ２の青色のドットＢ２及びＰ
３のＢ３は、同じ現象を有する。つまり、隣接する画素（Ｐ１、Ｐ２）、（Ｐ２、Ｐ３）、及び（Ｐ３、Ｐ４）の赤色のドットを例に取ると、差異は、それぞれ、（Ｌ４−Ｌ１）、（Ｌ６−Ｌ４）、及び（Ｌ３−Ｌ６）である。
【課題を解決するための手段】
【０００７】
　液晶表示装置（ＬＣＤ）には、２つの隣接する画素ＰＭ及びＰＭ＋１を有するパネルが含まれる。それぞれ対応する色を表示するために、画素ＰＭは、ドット（ＲＭ、ＧＭ、ＢＭ）を有し、画素ＰＭ＋１は、ドット（ＲＭ＋１、ＧＭ＋１、ＢＭ＋１）を有する。データライン駆動回路は、Ｎ本（Ｎは、３より大きい）の映像信号ラインを含む。第１データライン集合（ＤＮ−２、ＤＮ−１、ＤＮ）は、ドット（ＲＭ、ＧＭ、ＢＭ）にそれぞれ接続される。第２データライン集合（ＤＮ＋１、ＤＮ＋２、ＤＮ＋３）は、ドット（ＲＭ＋１、ＧＭ＋１、ＢＭ＋１）にそれぞれ接続される。映像信号を送信するために、Ｎ本の映像信号ライン（ＬＮ−２、ＬＮ−１、ＬＮ）の内、３本は、第１データライン集合（ＤＮ−２、ＤＮ−１、ＤＮ）と第２データライン集合（ＤＮ＋１、ＤＮ＋２、ＤＮ＋３）にそれぞれ選択的に接続される。映像信号ラインＬＮ−２は、データラインＤＮ−２及びデータラインＤＮ＋１に選択的に接続される。映像信号ラインＬＮ−１は、データラインＤＮ−１及びデータラインＤＮ＋２に選択的に接続される。映像信号ラインＬＮは、データラインＤＮ及びデータラインＤＮ＋３に選択的に接続される。
【発明を実施するための最良の形態】
【０００８】
　本発明は、隣接する画素間における不連続な色性能を低減する液晶表示装置（ＬＣＤ）のデータ駆動回路を提供する。
　図４は、本発明の実施形態例におけるデータライン駆動回路を示す。データライン駆動回路４０には、シフトレジスタ４０２と、映像信号送信を制御するための複数のスイッチ４０４と、が含まれる。パネルには、多数の画素が含まれ、各画素は、赤色のドット、緑色のドット、及び青色のドット等、３つのドットで構成されている。各ドットは、対応するデータラインに接続されている。図４において、実施形態を例示するために、４つの画素Ｐ１、Ｐ２、Ｐ３、及びＰ４を示す。
【０００９】
　図４において、映像信号Ｖ１〜Ｖ６は、映像信号ラインＬ１〜Ｌ６によって送信される。映像信号ラインＬ１〜Ｌ６は、スイッチ４０４を介して、データラインＤ１〜Ｄ２に選択的に接続され、映像信号を対応するドットに送信する。隣接する画素（Ｐ２、Ｐ３）に対して、赤色のドットＲ２及びＲ３の映像信号は、映像信号ラインＬ４によって、双方共送信される。緑色のドットＧ２及びＧ３の映像信号は、映像信号ラインＬ５によって、双方共送信される。青色のドットＢ２及びＢ３の映像信号は、双方共映像信号ラインＬ６によって、送信される。このようにして、隣接する画素（Ｐ２、Ｐ３）における同じ色を有するドットの映像信号は、１つの同じ映像信号ラインによって、送信される。従って、上述した不連続な色性能は、隣接する画素（Ｐ２、Ｐ３）間に存在しない。隣接する画素（Ｐ１、Ｐ２）に対して、赤色のドットＲ１及びＲ２の映像信号は、映像信号ラインＬ１及びＬ４によって、それぞれ送信される。映像信号ラインＬ２及びＬ５は、緑色のドットＧ１及びＧ２の映像信号を、それぞれ送信する。映像信号ラインＬ３及びＬ６は、青色のドットＢ１及びＢ２の映像信号を、それぞれ送信する。隣接する画素（Ｐ３、Ｐ４）に対して、赤色のドットＲ３及びＲ４の映像信号は、映像信号ラインＬ４及びＬ１によって、それぞれ送信される。映像信号ラインＬ５及びＬ２は、緑色のドットＧ３及びＧ４の映像信号を、それぞれ送信する。映像信号ラインＬ６及びＬ３は、青色のドットＢ３及びＢ４の映像信号を、それぞれ送信する。つまり、隣接する画素（Ｐ１、Ｐ２）、（Ｐ２、Ｐ３）、及び（Ｐ３、Ｐ４）の赤色のドットを例に取ると、差異は、それぞれ、（Ｌ１−Ｌ４）、（Ｌ４−Ｌ４）、及び（Ｌ４−Ｌ１）である。
【００１０】
　本発明について、例示の実施形態を参照して説明したが、この説明は、限定的なものと
解釈してはならない。本発明の他の実施形態と同様に、例示の実施形態の様々な変形が、この説明を参照すると、当業者には明らかになる。従って、添付の請求項は、本発明の真の範囲にあるあらゆる変形又は実施形態を網羅するものである。
【図面の簡単な説明】
【００１１】
【図１】ＬＣＤにおける従来の駆動回路構成を示す図。
【図２】ＬＣＤにおける従来のデータライン駆動回路を示す図。
【図３】ＬＣＤにおける従来の他のデータライン駆動回路を示す図。
【図４】本発明の実施形態例に基づくデータライン駆動回路構成を示す図。
【符号の説明】
【００１２】
　４０・・・データライン駆動回路、４０２・・・シフトレジスタ、４０４・・・複数のスイッチ、Ｐ１、Ｐ２、Ｐ３、Ｐ４・・・画素、Ｖ１〜Ｖ６・・・映像信号、Ｌ１〜Ｌ６・・・映像信号ライン、Ｄ１〜Ｄ２・・・データライン。
【図１】
2004145347.tif 000003
【図２】
2004145347.tif 000004
【図３】
2004145347.tif 000005
【図４】
2004145347.tif 000006
【手続補正書】
【提出日】平成15年11月17日(2003.11.17)
【手続補正１】
【補正対象書類名】明細書
【補正対象項目名】０００３
【補正方法】変更
【補正の内容】
【０００３】
　図２は、駆動回路１０の従来の構成を示す。駆動回路１０には、シフトレジスタ１０２と、データ送信のタイミングを制御するための複数のスイッチ１０４と、が含まれる。映像信号ラインＬ１〜Ｌ６は、スイッチ１０４を介して、それぞれ選択的にデータラインＤ１〜Ｄ１２に接続される。パネルには、例えば、Ｐ１、Ｐ２、Ｐ３、及びＰ４等の画素が含まれる。各画素は、赤色のドット、緑色のドット、及び青色のドット色構成される。例えば、画素Ｐ１は、赤色のドットＲ１、緑色のドットＧ１、及び青色のドットＢ１色構成される。各ドットは、データラインに接続される。映像信号Ｖ１〜Ｖ６は、対応するデータラインを介して、順次ドットに送信され、シフトレジスタ１０２とスイッチ１０４によって制御される。
【特許文献１】米国特許第６，０２３，２６０号